【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
背およびその背の両側のひらを有する書籍表紙であって、
背およびひらは全てが１つの折畳んだ素材で形成され、
ひらの面積の大部分は折畳んだ素材の少なくとも３つの接着された層を含む、書籍表紙。
【請求項２】
ひらの面積の大部分は３つまたは４つの層を含む、請求項１記載の書籍表紙。
【請求項３】
背は折畳んだ素材の１層もしくは２層を含む、請求項１記載の書籍表紙。
【請求項４】
複数の層はともに常温ポリ酢酸ビニルによって接着される、請求項１記載の書籍表紙。
【請求項５】
素材は一方面がコーティングされた紙ベース厚紙を含む、請求項１ないし４のいずれかに記載の書籍表紙。
【請求項６】
厚紙はその一方面がほぼ１５マイクロメートルのポリプロピレンのラミネートでコーティングされる、請求項５記載の書籍表紙。
【請求項７】
ラミネートは厚紙上の印刷を担持する領域にのみ限定される、請求項６記載の書籍表紙。
【請求項８】
厚紙の厚みは１００−１０００マイクロメートルである、請求項５記載の書籍表紙。
【請求項９】
厚みは２００−６００マイクロメートルである、請求項８記載の書籍表紙。
【請求項１０】
厚紙の秤量は１００−５００ｇ／ｍ２である、請求項５記載の書籍表紙。
【請求項１１】
秤量は２００−３７０ｇ／ｍ２である、請求項１０記載の表紙。
【請求項１２】
少なくとも１つのひらの外面および内面に沿って連続的な画像が印刷されている、請求項１ないし１１のいずれかに記載の書籍表紙。
【請求項１３】
ひらに窓が形成され、そのひらは窓の下の表面が見せるように開くことができる、請求項１ないし１２のいずれかに記載の書籍表紙。
【請求項１４】
ひらはその中に物を入れることができるポケットを含む、請求項１ないし１３のいずれかに記載の書籍表紙。
【請求項１５】
表紙を有する書籍であって、
表紙は背および背の両側のひらを有し、背およびひらは全て１つの折畳んだ素材で形成され、ひらの面積の大部分はその折畳んだ素材の少なくとも３つの接着された層を有し、さらに
表紙の背に接着された中身を含む、書籍。
【請求項１６】
書籍表紙を作る方法であって、
シート材料から素材を切断し、その素材は実質的に矩形の中央部分とその中央部分の両側の１組のフラップとを有し、さらに
１組のフラップを折曲げ線に沿って折畳み、その１組のフラップを中央部分上に接着し、それによって
背およびその背の両側のひらを有し、各ひらの面積の大部分がシート材料の少なくとも３つの層を有して形成される、書籍表紙を形成する、書籍表紙の製造方法。
【請求項１７】
書籍表紙を作る方法であって、
シート材料から素材を切断し、その素材は実質的に矩形の中央部分、その中央部分の一方側の第１の組のフラップおよび中央部分の残りの対向する側の第２の組のフラップを有し、
第１の折曲げ線に沿って第１の組のフラップを折畳み、その第１の組のフラップを中央部分上に接着し、さらに
第２の折曲げ線に沿って第２の組のフラップを折畳み、その第２の組のフラップを第１の組のフラップ上に接着し、それによって
背およびその背の両側のひらを有し、各ひらの面積の大部分がシート材料の少なくとも３つの層を有して形成される、書籍表紙を形成する、書籍表紙の製造方法。
【請求項１８】
第１の組のフラップを折畳んで中央部分上に接着し、次いで、それらの面積の大部分にわたってひらがシート材料の３層を有するひらを含む書籍表紙を形成するために、第２の組のフラップを折畳んで第１の組のフラップ上に接着するステップを含む、請求項１７記載の製造方法。
【請求項１９】
第１の組のフラップをそれら自身の上に折畳み、次いで第１の折畳んだフラップを折畳んで中央部分上に接着し、さらに、第２の組のフラップを折畳んで第１の組のフラップ上接着して、それらの面積の大部分にわたってシート材料の４つの層を有するひらを作る、請求項１７記載の製造方法。
【請求項２０】
素材の一方面上に画像を印刷し、折畳む前に、その印刷画像をラミネートする、請求項１７ないし１９のいずれかに記載の製造方法。
【請求項２１】
折畳む前に、折り筋、折曲げ線および装飾的エンボシングを打ち出す、請求項１７ないし２０のいずれかに記載の製造方法。
【請求項２２】
４つの平行な折り筋を打ち出すことによって、背を打ち出し、そこでは２つの内側の折り筋が一方方向に折り目を付けるように打ち出されかつ２つの外側の折り筋が反対方向に折り目を付けるように打ち出され、それによって、中身が２つの内側の折り筋の間に接着される、請求項２１記載の製造方法。
【請求項２３】
シート材料から素材を切断し、その素材は実質的に矩形の中央部分、中央部分の一方側の第１のフラップおよび中央部分の残りの対向する側の第２の組のフラップを含み、
中央部分を通る背の折り筋を打ち出し、
第１の折曲げ線に沿って第１の組のフラップを折畳み、その第１の組のフラップを中央部分上に接着し、
第２の折曲げ線に沿って第２の組のフラップを折畳み、その第２の組のフラップを第１の組のフラップ上に接着し、それによって背および背の両側のひらを有し、そのひらがそれらの面積の大部分にわたってシート材料の３つまたは４つの層を有して形成される書籍表紙を形成し、そして
書籍を形成するために折り筋の間に中身を取り付ける、書籍の製造方法。
【請求項２４】
書籍表紙を形成するための装置であって、
シート材料の素材を接着ステーションに向けて搬送する導入コンベアを備え、接着ステーションは中央線から横方向に間隔を隔てた２組の接着ローラを含み、その中心線は進行方向にあり、接着ローラは、素材の選択された領域の上に接着剤供給源からの接着剤を付与するように動作し、さらに
素材を接着ステーションからプレスへ移送するための移送コンベア、および
接着ステーションとプレスとの間の中心線の横方向に配置され、素材の両側を持ち上げて素材の中心部分の上に折畳むための折り機を備える、装置。
【請求項２５】
接着ステーションはその接着ステーションの前方に配置されたセンサを通過する素材によって活性化され、接着ローラは中心線から対称的に間隔が隔てられる、請求項２４記載の装置。
【請求項２６】
各組の接着ローラは、取込みローラ、転送ローラおよび付与ローラを含み、取り込みローラは接着剤入れから接着剤を集め、転送ローラは取込みローラから接着剤を付与ローラに転送し、そして付与ローラは素材に接着剤を付与する、請求項２４記載の装置。
【請求項２７】
余分な接着剤を除去するために取込みローラを横切って整列されるゴムナイフ刃を備える、請求項２６記載の装置。
【請求項２８】
付与ローラの周囲に設けられるゴムブランケットを備える、請求項２６記載の装置。
【請求項２９】
ゴムブランケットは素材の特定の領域上に接着剤を向ける際にステンシルとして動作するように切断される、請求項２８記載の装置。
【請求項３０】
折り機は、移送コンベアに並列に配置された折畳みベルトであり、その折畳みベルトは、素材が移送コンベアに沿って移送されるときに素材の両側を折畳むように捩じれている、請求項２４ないし２９のいずれかに記載の装置。
【手続補正２】
【補正対象書類名】明細書
【補正対象項目名】０００６
【補正方法】変更
【補正の内容】
【０００６】
１つの局面において、この発明は、背およびその背の両側のひらを有する書籍表紙であって、背およびひらは全てが１つの折畳んだ素材で形成され、ひらの面積の大部分は折畳んだ素材の少なくとも３つの接着された層を含む、書籍表紙を提供する。
【手続補正３】
【補正対象書類名】明細書
【補正対象項目名】００１２
【補正方法】変更
【補正の内容】
【００１２】
さらに他の局面によれば、この発明は、シート材料から素材を一定形状に切断し、その素材は実質的に矩形の中央部分、その中央部分のいずれかの側の第１の組のフラップおよび中央部分の残りの対向する側の第２の組のフラップを有し、第１の折曲げ線に沿って第１の組のフラップを折畳み、その第１の組のフラップを中央部分上に接着し、さらに第２の折曲げ線に沿って第２の組のフラップを折畳み、その第２の組のフラップを第１の組のフラップ上に接着し、それによって背およびその背の両側のひらを有し、各ひらの面積の大部分が画像シート材料の少なくとも３つの層を有して形成される、書籍表紙を形成する、書籍表紙の製造方法を提供する。
【手続補正４】
【補正対象書類名】明細書
【補正対象項目名】００１７
【補正方法】変更
【補正の内容】
【００１７】
さらなる局面において、この発明は、シート材料から素材を一定形状に切断し、その素材は実質的に矩形の中央部分、中央部分の１つの対向する側の第１のフラップおよび中央部分の残りの対向する側の第２の組のフラップを含み、中央部分を通る背の折り筋を打ち出し、第１の折曲げ線に沿って第１の組のフラップを折畳み、その第１の組のフラップを中央部分上に接着し、第２の折曲げ線に沿って第２の組のフラップを折畳み、その第２の組のフラップを第１の組のフラップ上に接着し、それによって背および背の両側のひらを有し、それらの面積の大部分にわたってひらがシート材料の３つまたは４つの層を有して形成される書籍表紙を形成し、そして書籍を形成するために折り筋の間に中身を取り付ける、書籍の製造方法を提供する。